(57)【特許請求の範囲】
【請求項１】
フロントパネルの前面に、横長の装飾用部品が組み込まれている空気調和機において、
前記フロントパネルの前面に水平方向に横長に設けられているスリット状溝に、前記装飾用部品が嵌合され、前記スリット状溝の下辺部にその長さ方向に沿って所定間隔で設けられている貫通穴に、前記装飾用部品にその長さ方向に沿って所定間隔で斜め下向きに延長されて設けられている爪部を嵌挿し、該爪部に設けられている穴部を前記フロントパネルの背面に設けられている別部品により係止することによって前記装飾用部品が前記フロントパネルに固着されていることを特徴とする空気調和機。
【請求項２】
前記爪部には、穴部が設けられ、該穴部に前記別部品に設けられている突片が嵌入されることにより、前記爪部が前記別部品により係止されていることを特徴とする請求項１に記載の空気調和機。
【請求項３】
前記別部品は、前記フロントパネルの背面側に配設されているエアフィルタをその移動時にガイドするフィルタガイド部材とされていることを特徴とする請求項１または２に記載の空気調和機。
【発明の詳細な説明】
【技術分野】
【０００１】
本発明は、フロントパネルの前面に、デザイン性を向上するための横長の装飾用部品が組み込まれている空気調和機に関するものである。
【背景技術】
【０００２】
近年、空気調和機（特に、室内機）においては、デザイン性がますます重要視されるようになっている。そこで、デザイン性を高めるために、フロントパネルの前面に、フロントパネルとは別部品の装飾用部品が組み込まれている空気調和機が提供されている。この装飾用部品は、一般にフロントパネルに対して爪部による嵌め込み方式を採用して組み込まれている場合が多い。
【０００３】
また、パネルの薄型化等に伴って爪部による嵌め込み方式の採用が困難な場合、装飾用部品の裏面側にリブを立て、該リブをフロントパネルに設けられた穴に挿入した後、リブを溶着する方式や両面テープにより接着する方式が採用されている。更に、装飾用部品が半透明樹脂品の場合、リブが透けて見えることから、特許文献１に示されるように、フロントパネルの背面側に溶着用リブを設け、この溶着用リブに対して装飾用部品の側面から延長されたリブに設けられている穴を、溶着用リブの円弧とした上面に沿って回転させながら挿入し、溶着するようにした構成が採用されている場合がある。
【先行技術文献】
【特許文献】
【０００４】
【特許文献１】特開２００６−１９４５５７号公報
【発明の概要】
【発明が解決しようとする課題】
【０００５】
しかしながら、装飾用部品は、外観部品であることから、爪部による嵌め込み方式であろうと、溶着方式であろうと、爪部やリブが目立たないようにする必要があり、その形状が制約されることが多かった。特に、高い位置に設置される空気調和機においては、特許文献１に示されるように、装飾用部品に設けられている爪部やリブが上方に延長されていると、下方から見たときに、爪部やリブが隙間から露見されるため、意匠性が損なわれる場合があった。
【０００６】
また、装飾用部品が長手方向に細長い形状を有する場合には、幅広形状の爪部を背面側に設けることは難しく、細長い形状の装飾用部品は回避される傾向にあった。更に、溶着方式や接着方式を採用すると、リサイクル時に簡単に分解ができなくなるため、リサイクル性が低下してしまう等の課題があった。
【０００７】
本発明は、このような事情に鑑みてなされたものであって、デザイン性を向上するための横長の装飾用部品を、意匠性やリサイクル性を損なうことがないように、爪部のみの嵌め込み方式でフロントパネルの前面に組み込むことができる空気調和機を提供することを目的とする。
【課題を解決するための手段】
【０００８】
上記した課題を解決するために、本発明の空気調和機は、以下の手段を採用する。
すなわち、本発明にかかる空気調和機は、フロントパネルの前面に、横長の装飾用部品が組み込まれている空気調和機において、前記フロントパネルの前面に水平方向に横長に設けられているスリット状溝に、前記装飾用部品が嵌合され、前記スリット状溝の下辺部にその長さ方向に沿って所定間隔で設けられている貫通穴に、前記装飾用部品にその長さ方向に沿って所定間隔で斜め下向きに延長されて設けられている爪部を嵌挿し、該爪部に設けられている穴部を前記フロントパネルの背面に設けられている別部品により係止することによって前記装飾用部品が前記フロントパネルに固着されていることを特徴とする。
【０００９】
本発明によれば、フロントパネルの前面に水平方向に横長に設けられているスリット状溝に、横長の装飾用部品が嵌合され、スリット状溝の下辺部にその長さ方向に沿って所定間隔で設けられている貫通穴に、装飾用部品にその長さ方向に沿って所定間隔で斜め下向きに延長されて設けられている爪部を嵌挿し、該爪部に設けられている穴部をフロントパネルの背面に設けられている別部品により係止することによって装飾用部品がフロントパネルに固着されているため、フロントパネルの前面に組み込まれる横長の装飾用部品を意匠的に目立たないスリット状溝の下辺部において、その下辺部の貫通穴に装飾用部品に斜め下向きに設けられている爪部を嵌挿し、該爪部の穴部にフロントパネルの背面側で別部品を介して係止することにより固着することができる。従って、デザイン性を高める横長の装飾用部品を、フロントパネルの前面に爪部のみで該爪部を外観上に露見させないようにして固着することができ、意匠性を向上することができると同時に、接着剤やテープ等の使用を避けることで、空気調和機のリサイクル性を向上することができる。
【００１０】
さらに、本発明の空気調和機は、上記の空気調和機において、前記爪部には、穴部が設けられ、該穴部に前記別部品に設けられている突片が嵌入されることにより、前記爪部が前記別部品により係止されていることを特徴とする。
【００１１】
本発明によれば、爪部に穴部が設けられ、該穴部に別部品に設けられている突片が嵌入されることにより、爪部が別部品により係止されているため、装飾用部品に設けられている爪部をフロントパネルの貫通穴に嵌挿し、該爪部の穴部に別部品に設けられている突片を嵌入することによって工具や他の結合部品等を用いることなく、各部品の嵌着操作のみで装飾用部品をフロントパネルの前面に組み込むことができる。従って、フロントパネルに対する装飾用部品の組み立て性を維持、向上することができる。
【００１２】
さらに、本発明の空気調和機は、上述のいずれかの空気調和機において、前記別部品は、前記フロントパネルの背面側に配設されているエアフィルタをその移動時にガイドするフィルタガイド部材とされていることを特徴とする。
【００１３】
本発明によれば、別部品が、フロントパネルの背面側に配設されているエアフィルタをその移動時にガイドするフィルタガイド部材とされているため、フロントパネルの背面に特に装飾用部品を組み込むための専用の部品を設けることなく、フロントパネルの背面に設けられているフィルタガイド部材を装飾用部品の係止用の部品として兼用化することができる。従って、部品数の増加による構成の複雑化を回避しながら、フロントパネルの前面に装飾用部品を組み込んで空気調和機のデザイン性を向上することができる。
【発明の効果】
【００１４】
本発明によると、フロントパネルの前面に組み込まれる横長の装飾用部品を意匠的に目立たないスリット状溝の下辺部において、その下辺部の貫通穴に装飾用部品に斜め下向きに設けられている爪部を嵌挿し、該爪部の穴部にフロントパネルの背面側で別部品を介して係止することにより固着することができるため、デザイン性を高める横長の装飾用部品を、フロントパネルの前面に爪部のみで該爪部を外観上に露見させないようにして固着することができ、意匠性を向上することができると同時に、接着剤やテープ等の使用を避けることで、空気調和機のリサイクル性を向上することができる。
【図面の簡単な説明】
【００１５】
【図１】本発明の一実施形態に係る空気調和機の斜視図である。
【図２】図１に示す空気調和機の縦断面図である。
【図３】図１に示す空気調和機のフロントパネルを背面側から見た斜視図である。
【図４】図３に示すフロントパネルのＡ−Ａ断面図である。
【図５】図３に示すフロントパネルの背面に設けられるエアフィルタガイド部材の斜視図である。
【図６】図３に示すフロントパネルに組み込まれる装飾用部品の斜視図である。
【発明を実施するための形態】
【００１６】
以下に、本発明の一実施形態について、図１ないし図６を参照して説明する。
図１には、本発明の一実施形態に係る空気調和機の斜視図が示され、図２には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に取り付けられたフロントパネル４とから構成された横長長方形状の筐体５を備えている。
【００１７】
フロントカバー３の前面および上面には、その略全面にわたり格子状の桟３Ａが設けられており、その上面には、吸込みグリル６が設けられ、下面の前方部位には、その略全幅にわたって温調された空気を室内に吹出す空気吹出し口７が開口されている。空気吹出し口７には、風向を左右方向に変更する複数枚のルーバ８と、風向を上下方向に変更するとともに、空気吹出し口７を閉鎖可能な左右に２分割されている上下各２枚の水平フラップ９が設けられている。なお、これらのルーバ８および水平フラップ９は、図示省略のモータによって、それぞれ独立して回動されるように構成されている。
【００１８】
筐体５の内部には、フロントカバー３の前面および上面から下面前方部位の空気吹出し口７に至る空気流路が形成され、その空気流路中に上流側からエアフィルタ１０、図示省略の室内熱交換器、室内ファンが順次配設されている。吸込みグリル６を介して吸込まれた室内空気は、エアフィルタ１０を通過することによって塵埃が除去された後、室内熱交換器で冷却または加熱され、室内ファンを介して空気吹出し口７から室内に吹出されるようになっている。エアフィルタ１０は、フロントカバー３の前面および上面の略全面を覆うように、フィルタガイド１１等に沿って設置されている。
【００１９】
このエアフィルタ１０は、筐体５内の前面側下部に設けられているフィルタガイド１１Ａを介して上方にＵターンされ、更に前面側上部において前方側にガイドされ、フロントパネル４の背面に沿って下方にガイドされるようにフィルタ自動清掃機構１２を介して移動可能に設置されている。フィルタ自動清掃機構１２は、エアフィルタ１０をフィルタガイド１１に沿って移動させながら、エアフィルタ１０で捕集された塵埃をブラシにより掻き取り、ダストボックスに回収するように構成されたものである。
【００２０】
フロントカバー３の前面に設けられているフロントパネル４は、図３、図４に示されるように、幅方向の両端上方部に設けられている支持アーム１３の軸部１４を介してフロントカバー３に回動自在に支持され、幅方向の両端下方部に設けられている引っ掛け爪１５を介してフロントカバー３の前面に上部を支点として開閉可能に設置されている。このフロントパネル４の背面には、エアフィルタ１０が自動清掃時にフィルタ自動清掃機構１２を介して上述のように移動される時、エアフィルタ１０の移動をガイドするとともに、エアフィルタ１０の動きを押えるフィルタガイド部材１６が設けられている。
【００２１】
フィルタガイド部材１６は、フロントパネル４の背面の下方部位に設けられている複数箇所の係止部１７に下端縁を差し込み、上端縁をフロントパネル４の背面の上方部位に設けられている複数箇所の係止部１８に嵌め込むことによって、フロントパネル４に一体に係止されている。フィルタガイド部材１６の係止部１７，１８に対応する部位には、係止部１７，１８に対する嵌着部１９，２０が設けられている。
【００２２】
さらに、フロントパネル４の下方部位には、水平方向の略全幅にわたって横長のスリット状溝２１が設けられており、該スリット状溝２１内に横長の装飾用部品２２が組み込まれるようになっている。これによって、図１に示されるように、フロントパネル４の下方部位にその表面から僅かに前方に突出された装飾用部品２２による意匠ラインが現出される構成とされている。この装飾用部品２２は、前面側が凸状の湾曲面とされた断面が四方形状の細長い角棒状体であり、図６に示されるように、その長さ方向に沿って所定の間隔で斜め下向きに延長された爪部２３を備えており、各爪部２３には、それぞれ穴２４が穿設されている。
【００２３】
一方、フロントパネル４のスリット状溝２１には、その下辺部に沿って、上記爪部２３と同一間隔で背面側に貫通された貫通穴２５が設けられており、スリット状溝２１内に嵌合された装飾用部品２２の爪部２３がフロントパネル４の背面側に突出されるようになっている（図４参照）。また、上記フィルタガイド部材１６の下端縁には、図５に示されるように、上記爪部２３と同一間隔で下方に突出され、該爪部２３の穴２４に嵌入される突片２６が設けられており、この突片２６を爪部２３の穴２４に嵌入して爪部２３を係止することにより、装飾用部品２２がフロントパネル４のスリット状溝２１内に組み込まれた状態で固定されるようになっている。
【００２４】
以上に説明の構成により、本実施形態によれば、以下の作用効果を奏する。
上記空気調和機１によると、フロントパネル４の下方部位において、その幅方向の略全幅にわたって水平方向に延びる、別部品の装飾用部品２２による意匠ラインを現出させることができ、これを意匠上のアクセントとして空気調和機１のデザイン性を向上することができる。しかも、この装飾用部品２２をフロントパネル４の前面に対して、爪部２３のみによる嵌めこみ方式で、かつその爪部２３を外観上に露見させることなく、組み込むことができる。
【００２５】
つまり、フロントパネル４の前面に水平方向に横長に設けられているスリット状溝２１に、横長の装飾用部品２２が嵌合され、該スリット状溝２１の下辺部にその長さ方向に沿って所定間隔で設けられている貫通穴２５に、装飾用部品２２にその長さ方向に沿って所定間隔で斜め下向きに設けられている爪部２３を嵌挿し、該爪部２３の穴２４をフロントパネル４の背面に設けられているフィルタガイド部材（別部品）１６により係止することによって、装飾用部品２２をフロントパネル４の前面に固着するようにしているため、フロントパネル４の前面に組み込まれる横長の装飾用部品２２を意匠的に目立たないスリット状溝２１の下辺部において、装飾用部品２２に設けられている爪部２３を貫通穴２５に嵌挿し、フロントパネル４の背面側で別部品としてのフィルタガイド部材１６を介して係止することにより固着することができる。
【００２６】
従って、デザイン性を高める横長の装飾用部品２２を、フロントパネル４の前面に爪部２３のみで該爪部２３を外観上に露見させないようにして固着することができ、意匠性を向上することができると同時に、接着剤やテープ等の使用を回避し、空気調和機１のリサイクル性を向上することができる。
【００２７】
また、爪部２３に穴２４を設け、該穴２４にフィルタガイド部材（別部品）１６に設けられている突片２６を嵌入することにより、爪部２３を別部品としてのフィルタガイド部材１６により係止するようにしているので、装飾用部品２２に設けられている爪部２３をフロントパネル４の貫通穴２５に嵌挿し、該爪部２３の穴２４にフィルタガイド部材（別部品）１６に設けられている突片２６を嵌入することによって工具や他の結合部品等を用いることなく、各部品の嵌着操作のみで装飾用部品２２をフロントパネル４の前面に組み込むことができる。このため、フロントパネル４に対する装飾用部品２２の組み立て性を維持、向上することができる。
【００２８】
さらに、別部品がフロントパネル４の背面に配設されているエアフィルタ１０をその移動時にガイドするフィルタガイド部材１６とされているので、フロントパネル４の背面に特に装飾用部品２２を組み込むための専用部品を設けることなく、フロントパネル４の背面に設けられているフィルタガイド部材１６を装飾用部品２２の係止用の部品として兼用化することができる。このため、部品数の増加による構成の複雑化を回避しながら、フロントパネル４の前面に装飾用部品２２を組み込んで空気調和機１のデザイン性を向上することができる。
【００２９】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。
【００３０】
また、フィルタ自動清掃機構１１を備えた空気調和機１の例について説明したが、フィルタ自動清掃機構を備えていない空気調和機１に適用してもよく、この場合、装飾用部品２２の爪部２３を係止する部品は、フィルタガイド部材１６に代わる別部品とされることは云うまでもない。さらに、上記実施形態では、フロントカバー３の前面にフロントパネル４が取り付けられている空気調和機１について説明したが、フロントカバー３とフロントパネル４が一体化されている空気調和機１であってもよいことはもちろんである。
【符号の説明】
【００３１】
１  空気調和機
４  フロントパネル
１０  エアフィルタ
１６  フィルタガイド部材（別部品）
２１  スリット状溝
２２  装飾用部品
２３  爪部
２４  穴
２５  貫通穴
２６  突片
【図１】
0005631091.tif 000002
【図２】
0005631091.tif 000003
【図３】
0005631091.tif 000004
【図４】
0005631091.tif 000005
【図５】
0005631091.tif 000006
【図６】
0005631091.tif 000007